(57)【特許請求の範囲】
【請求項１】
基端側が相互に回転自在に結合され中間部の把持部の把持操作で先端側が挟持動作を行う挟持アームと、
前記挟持アームの先端側に対向配置され前記挟持動作で毛髪を熱板により加温しながら矯正面により狭持矯正する矯正体とを備えたヘアーアイロンにおいて、
前記矯正体の少なくとも一方を、前記挟持アームへの取付状態から他方側に対し所定範囲内で進退可能となるように前記挟持アームに矯正体付勢手段を介して可動支持し、
前記熱板の少なくとも一方の背後側に、前記矯正面に沿って磁石を配置し、
前記磁石相互の反発力又は吸引力若しくは磁石の他方の熱板側への吸着力により前記矯正体付勢手段を反発又は吸引に応じ撓めて前記矯正体を前記取付状態から進退させ相互姿勢を修正可能とする
ことを特徴とするヘアーアイロン。
【請求項２】
請求項１記載のヘアーアイロンであって、
前記矯正体は、前記熱板の背後に収容部を備え、
前記収容部内に、前記磁石及び該磁石を収容部に対して前記熱板側へ付勢する磁石付勢手段を設けたことを特徴とするヘアーアイロン。
【請求項３】
請求項２記載のヘアーアイロンであって、
前記収容部内で前記熱板の背面と前記磁石との間に、前記背面から熱板へ熱伝導を行う発熱体を設けたことを特徴とするヘアーアイロン。
【発明の詳細な説明】
【０００１】
【発明の属する技術分野】
本発明は、毛髪にストレートパーマ又はパーマネントウェーブをかけるため等に供するヘアーアイロンに関する。
【０００２】
【従来の技術】
従来のヘアーアイロンとしては、例えば図１１に示すようなものがある（特開２００１−１３７０３８号公報参照）。図１１（ａ）はヘアーアイロンの全体構成図、図１１（ｂ）は内部を示す断面図である。
【０００３】
この図１１のように、従来のヘアーアイロン２０１は、アイロン本体２０３に電源コード２０５が接続され、この電源コード２０５の中間部に温度制御装置２０７が接続され、端部に電源プラグ２０９が取り付けられたものである。
【０００４】
前記アイロン本体２０３は、一対の樹脂製の挟持アーム２１１，２１３を備えている。この挟持アーム２１１，２１３は基端側２１５，２１７が相互に回転自在に結合され、先端側２１９，２２１に矯正体２２３，２２５が対向配置されている。この矯正体２２３，２２５は、所定範囲内で進退可能となるように前記挟持アーム２１１，２１３に可動支持されている。各矯正体２２３，２２５の背後には、該矯正体２２３，２２５を進出方向へ付勢するばね２２７が設けられている。
【０００５】
そして、電源プラグ２０９をコンセントに差し込み、温度制御装置２０７によって矯正体２２３，２２５を発熱させ、該矯正体２２３，２２５の挟持動作により毛髪を挟みつつ該毛髪に対して滑らせ、矯正体２２３，２２５の発熱による加温作用を加えることにより毛髪を挟持矯正する。このとき前記ばね２２７の付勢により、各矯正体２２３，２２５が平行に密接するように毛髪の狭持状態が自動的に調節される。
【０００６】
従って、前記矯正体２２３，２２５の一部のみが局部的に接触することによるアイロン掛けの斑を防止することができる。こうして、ヘアーアイロン２０１を用いることによって生まれながらの癖毛を伸ばしたり人工的なパーマネントウェーブを直したりすることを容易に行うことができる。
【０００７】
【発明が解決しようとする課題】
しかしながら、前記のようにばね２２７を用いたとしても、矯正体２２３，２２５が接触し始めるのはあくまでも局部的であり、挟持アーム２１１，２１３の狭持動作の進行と共に矯正体２２３，２２５はばね２２７の付勢力に抗して姿勢を修正し、最終的に矯正体２２３，２２５を平行状態で密接させることができるに過ぎないものである。
【０００８】
このため、矯正体２２３，２２５が接触し始めから最終的な接触状態までは接触状態が均一ではなく、やはり局部的な接触によるアイロン掛けの斑を招く虞がある。
【０００９】
本発明は、アイロン掛けの斑をより的確に抑制することのできるヘアーアイロンの提供を課題とする。
【００１０】
【課題を解決するための手段】
請求項１の発明は、基端側が相互に回転自在に結合され中間部の把持部の把持操作で先端側が挟持動作を行う挟持アームと、前記挟持アームの先端側に対向配置され前記挟持動作で毛髪を熱板により加温しながら矯正面により狭持矯正する矯正体とを備えたヘアーアイロンにおいて、前記矯正体の少なくとも一方を、前記挟持アームへの取付状態から他方側に対し所定範囲内で進退可能となるように前記挟持アームに矯正体付勢手段を介して可動支持し、前記熱板の少なくとも一方の背後側に、前記矯正面に沿って磁石を配置し、前記磁石相互の反発力又は吸引力若しくは磁石の他方の熱板側への吸着力により前記矯正体付勢手段を反発又は吸引に応じ撓めて前記矯正体を前記取付状態から進退させ相互姿勢を修正可能とすることを特徴とする。
【００１１】
請求項２の発明は、請求項１記載のヘアーアイロンであって、前記矯正体は、前記熱板の背後に収容部を備え、前記収容部内に、前記磁石及び該磁石を収容部に対して前記熱板側へ付勢する磁石付勢手段を設けたことを特徴とする。
【００１２】
請求項３の発明は、請求項２記載のヘアーアイロンであって、前記収容部内で前記熱板の背面と前記磁石との間に、前記背面から熱板へ熱伝導を行う発熱体を設けたことを特徴とする。
【００１３】
【発明の効果】
請求項１の発明では、挟持アームの中間部の把持部を把持して操作すると、基端側が相互に回転し、先端側が挟持動作を行う。この挟持動作によって挟持アームの先端側に対向配置された矯正体により毛髪を挟持矯正することができる。
【００１４】
本発明は、そして、前記矯正体の少なくとも一方を、前記挟持アームへの取付状態から他方側に対し所定範囲内で進退可能となるように前記挟持アームに矯正体付勢手段を介して可動支持し、前記熱板の少なくとも一方の背後側に、前記矯正面に沿って磁石を配置し、前記磁石相互の反発力又は吸引力若しくは磁石の他方の熱板側への吸着力により前記矯正体付勢手段を反発又は吸引に応じ撓めて前記矯正体を前記取付状態から進退させ前記矯正体の相互姿勢を修正可能とするため、前記狭持動作により両矯正体が近づき、或いは接触し始めると前記磁石及び矯正体付勢手段の協働により両矯正体間の相互姿勢が互いに平行状態となるように自動的に修正させることができる。
【００１５】
従って、両矯正体により毛髪を狭持するときは両矯正体の接触開始から平行状態とし、局部的に接触することによるアイロン掛けの斑を的確に抑制することができる。
【００１６】
請求項２の発明では、請求項１の発明と同様な効果に加え、前記矯正体は、前記熱板の背後に収容部を備え、前記収容部内に、前記磁石及び該磁石を収容部に対して前記熱板側へ付勢する磁石付勢手段を設けたため、磁石を磁石付勢手段により熱板側へ付勢することにより矯正体に対して安定して支持させることができる。このため、磁石及び矯正体付勢手段の協働による両矯正体間の相互姿勢の修正をより確実に行わせることができる。
【００１７】
請求項３の発明では、請求項２の発明の効果に加え、前記収容部内で前記熱板の背面と前記磁石との間に、前記背面から熱板へ熱伝導を行う発熱体を設けたため、前記磁石付勢手段の付勢力を利用して発熱体を熱板の背面へ密着させることができ、発熱体から熱板へ効率よく熱伝導させることができる。
【００１８】
【発明の実施の形態】
図１〜図５は本発明の一実施形態に係るヘアーアイロンを示し、図１は一部を省略した全体斜視図、図２は分割部分を外した状態で一部を断面にした平面図、図３は側面図、図４は平面図、図５は挟持アームを開いた状態の底面図である。
【００１９】
これら図１〜図５のように、ヘアーアイロン１は、電源コード３が接続されたアイロン本体５を備えている。なお電源コード３には、例えば温度制御装置、電源プラグ等が備えられている。
【００２０】
前記アイロン本体５は、一対の挟持アーム７，９と、一対の矯正体１１，１３を備えている。前記挟持アーム７，９は、例えば線膨張係数8.8×１０−５ｃｍ／ｃｍ／℃のシーポリエステル系エンジニアリングプラスチック等の樹脂製であり、基端側１５，１７が回転軸１９によって相互に回転自在に結合されている。各挟持アーム７，９の中間部には、把持部２１，２３が設けられている。この把持部２１，２３は把持しやすいように図２，図４，図５のように比較的太く形成され、基端側１５，１７とほぼ同一の太さとなっている。
【００２１】
前記把持部２１，２３には、その先端側に傾斜面で形成された力点部２５，２７が設けられている。この力点部２５，２７は、把持部２１，２３を把持したとき親指や人差し指を当てて力を加えるようにするものである。前記力点部２５，２７は、図３の側面から見ると前記把持部２１，２３全体よりも若干肥大して形成され、親指や人差し指を当てやすいようになっている。
【００２２】
前記挟持アーム７，９の先端側２９，３１は、図２，図４，図５のように、把持部２１，２３よりも相互の合わせ方向へ細く形成されている。また前記先端側２９，３１は、図３のように把持部２１，２３よりも細く形成され、把持部２１，２３に対し一側へ位置ずれして設定されている。従って、先端側２９，３１の一面３３は、把持部２１，２３の一面３５よりも一側へ突出し、両面３３，３５は傾斜面３７で段差的に連続設定されている。前記先端側２９，３１の他面３９は、前記一面３３に合わせて一側へずれて形成され、前記把持部２１，２３の中央側へ入り込んでいる。
【００２３】
かかる挟持アーム７は、中空状に形成されており、図３のように分割線４１によりそれぞれ分割部分４３ａ，４５ａ、分割部分４３ｂ，４５ｂの合わせ構造となっている。これら分割部分４３ａ，４５ａ、分割部分４３ｂ，４５ｂは、先端側２９，３１、把持部２１，２３、基端側１５，１７において締結具である例えばビス４８，４９，５１によって相互に締結結合されている。前記分割部分４３ａ，４３ｂには、先端側２９，３１において締結用の孔４７が貫通形成されている。
【００２４】
前記中空の把持部２１，２３内には、複数の補強リブ５３が設けられている。前記一方の挟持アーム７には、両アーム７，９の対向側に凸部５５が設けられ、他方の挟持アーム９には前記凸部５５が嵌合する凹部５７が設けられている。前記凸部５５は、前記凹部５７の底面に突き当たってストッパの機能を奏するようになっている。
【００２５】
こうして、前記挟持アーム７は、基端側１５，１７が相互に回転自在に結合され、中間部の把持部２１，２３の操作で先端側２９，３１が挟持動作を行う構成となっている。
【００２６】
前記挟持アーム７，９の先端側２９，３１の断面は、図３のＳＡ−ＳＡ矢視の拡大断面で示す図６のようになっている。また図７は、先端側２９，３１において分割部分４３ａ，４３ｂを取り外し、矯正体１１，１３を断面にして示した要部拡大平面図である。なお、以下の説明では挟持アーム７，９の先端側２９，３１が対称形状となっているため先端側２９を主に説明し、他方の先端側３１は先端側２９の説明を参照する。
【００２７】
前記先端側２９は、図６，図７のように内部に芯材８３を収容する平坦な縦壁面５９，６１及び平坦な底壁面６３を備えている。なお、先端側３１には対称形状の芯材８５が収容されるように、前記平坦な縦壁面５９，６１及び平坦な底壁面６３と同様な面が形成されている。また先端側２９には、前記矯正体１１を他方側に対し進退自在となるように可動支持する矯正体支持穴６５が設けられている。この矯正体支持穴６５に、前記矯正体１１が可動支持されている。
【００２８】
従って、前記矯正体１１，１３は、前記挟持アーム７，９の先端側２９，３１に対向配置され、前記挟持アーム７，９の挟持動作で毛髪を加温しながら挟持矯正する構成となっている。
【００２９】
前記矯正体１１は、熱板６７と、セラミックヒータ６９と、マグネットプレート７１と、第１ばね７３とを備え、第２ばね７５で付勢されている。
【００３０】
前記熱板６７は、アルミ等の軽量で熱伝導率の高い材料により対向側から見て矩形板状に形成され、表面がフッ素コーティングされている。前記熱板６７の背後には、収容部７７が一体に設けられ、前記矯正体支持穴６５に対し可動支持され、他方側である矯正体１３に対し進退自在となっている。このような進退自在な支持は、矯正体１３においても同様である。
【００３１】
前記収容部７７の上下壁には、係合片部７９，８１が設けられ、前記熱板６７の一定以上の突出移動を規制するようになっている。前記セラミックヒータ６９、マグネットプレート７１、第１ばね７３は、前記収容部７７内に収容されている。従って、前記矯正体１１，１３は、前記熱板６７の背後に収容部７７を備え、前記収容部７７内に、前記磁石としてのマグネットプレート７１及び該マグネットプレート７１を収容部７７に対して前記熱板６７側へ付勢する磁石付勢手段として第１ばね７３を設けた構成となっている。また、前記熱板６７の背後側に、矯正面に沿って磁石としてのマグネットプレート７１を配置した構成となっている。さらに、前記収容部７７内で前記熱板６７の背面と前記マグネットプレート７１との間に、前記背面から熱板６７へ熱伝導を行う発熱体としてのセラミックヒータ６９を設けた構成となっている。
【００３２】
前記セラミックヒータ６９は、矩形板状を呈し、最高温度約１８０°まで発熱し、前記熱板６７に熱伝導を行うもので、前記電源コード３側に電気的に接続されている。
【００３３】
前記マグネットプレート７１は、１５０００ガウスのネオジウム磁石等により矩形板状に形成され、両矯正体１１，１３相互でＳ極が対峙するように配置されている。但し、マグネットプレート７１は、Ｎ極が対峙するように配置することもできる。また、マグネットプレート７１は永久磁石の他、電磁石或いは永久磁石と電磁石との組み合わせなどを用いることができる。さらに、マグネットプレート７１は、１００００ガウス以上であれば好ましいものである。
【００３４】
前記第１ばね７３は、板ばねで形成され、前記マグネットプレート７１を収容部７７内で熱板６７背面方向に付勢しセラミックヒータ６９を熱板６７の背面に密着させると共に、マグネットプレート７１を安定支持している。第１ばね７３のばね定数は、前記マグネットプレート７１がＳ極を対峙させて配置されたとき、マグネットプレート７１相互の磁性による反力で撓まない程度のものである。
【００３５】
前記第２ばね７５は、前記収容部７７の後端に支持され、この第２ばね７５は、前記矯正体１１，１３を付勢して矯正体１１，１３相互による挟持状態を弾性的に調節する矯正体付勢手段を構成している。前記第２ばね７５は、板ばねで形成され、両端部７５ａ，７５ｂが傾斜設定され、端縁が前記分割部分４３ａ側の突起部に図７左右方向（長手方向）で係合している。
【００３６】
前記矯正体１１，１３、第１，第２ばね７３，７５の具体的構成は、図８〜図１０のようになっている。図８（ａ）は矯正体本体の正面図、図８（ｂ）は同背面図、図８（ｃ）は同平面図、図８（ｄ）は同断面図、図９（ａ）は第１ばねの平面図、図９（ｂ）は同背面図、図１０（ａ）は第２ばねの平面図、図１０（ｂ）は同正面図、図１０（ｃ）は同側面図である。
【００３７】
前記図８のように、前記矯正体１１，１３の熱板６７には、前面に相互に対向する平坦な矯正面８７が設けられている。前記収容部７７は、前記熱板６７の平坦な背面８９に沿って中空に形成されている。収容部７７の両端部は前記矯正体１１，１３の両端部に解放されている。従って、収容部７７の端部から、第１ばね７３、セラミックヒータ６９、及びマグネットプレート７１を挿入できるようになっている。収容部７７の後壁９１には、開口部９３が設けられている。前記後壁９１の上下縁には前記第２ばね５をスライド支持するための溝部９５が設けられている。
【００３８】
図９のように、前記第１ばね７３は、板ばね材で形成されている。第１ばね７３の中央には、湾曲部９７が設けられている。この第１ばね７３の一端には、屈曲部９９が設けられ、他端には鍵部１０１が設けられている。この屈曲部９９と鍵部１０１とにより前記マグネットプレート７１を支持している。
【００３９】
図１０のように、前記第２ばね７５は、板ばね材で形成されている。第２ばね７５の両端部７５ａ，７５ｂは、平坦な中央部１０３の両側に形成されている。中央部１０３の幅方向両側には、係合部１０５が形成されている。前記両端部７５ａ，７５ｂの端縁には、前記分割部分４３ａ側の突起部に前述のように係合するための係合部１０７が設けられている。
【００４０】
組み付けに際しては、図９のようにマグネットプレート７１を屈曲部９９と鍵部１０１とにより前記第１ばね７３に予め支持させる。次に、マグネットプレート７１に対しセラミックヒータ６９を合わせ、これら第１ばね７３、マグネットプレート７１、及びセラミックヒータ６９をアッセンブリとして前記収容部７７に収容させる。このとき、前記アッセンブリを収容部７７の端部開口から容易に差し込み収容することができる。
【００４１】
前記アッセンブリを収容部７７に収容させた後は、第１ばね７３の湾曲部９７が撓んで反力を発生し、セラミックヒータ６９を熱板６７の背面８９に密着させるため、第１ばね７３、マグネットプレート７１、セラミックヒータ６９のアッセンブリを、収容部７７内に固定支持させることができ、組み付け時の取扱が容易となる。
【００４２】
次に、前記矯正体１１，１３の後壁９１の溝部９５に、前記第２ばね７５の係合部１０５を係合させ、第２ばね７５の中央部１０３を矯正体１１，１３の後壁９１に取り付ける。この取り付けは、後壁９１の端部から差し込んで行うが、後壁９１の中央部において、第２ばね７５を中央部１０３に対向させ、こじり気味に嵌め込むこともできる。第２ばね７５が後壁９１に取り付けられると、中央部１０３が前記マグネットプレート７１の磁力により引かれ、第２ばね７５の後壁９１に対する位置決めを行うことができる。従って、第２ばね７５を後壁９１に対し自由に移動させ、移動位置で前記磁力により位置決めることができ、第２ばね７５の位置決めを極めて容易に行うことができる。
【００４３】
次に、前記矯正体１１，１３、第２ばね７５のアッセブリを前記分割部分４５ａ、４５ｂの矯正体支持穴６５部分に支持させ、他の分割部分４３ａ，４３ｂを合わせ、所定箇所を締結して組み付けが完了する。
【００４４】
次に、前記ヘアーアイロン１を用いて癖毛を伸ばしたり人工的なパーマネントウェーブを直す場合について説明する。
【００４５】
まず、前記ヘアーアイロン１の使用時には、まず毛髪に第一液、すなわちチオグリコール酸やシステイン等のメルカプト化合物（還元剤）を主剤とする水溶液にアンモニア、モノエタノールアミン、トリエタノールアミン等の塩基性物質を加えてｐＨ６〜１０に調整した液剤を塗布する。この塗布により、毛髪中のケラチン蛋白質に含まれているシスチンのジスルフィド結合が還元されてメルカプト基として切断され、その後、毛髪を水洗し、順次ドライヤ等で乾燥させた後、１４０〜１８０℃に加熱したヘアーアイロン１によりこの髪を直毛に整える。
【００４６】
具体的には、挟持アーム７，９の把持部２１，２３を把持し、力点部２５，２７に親指と人差し指を当てるなどして力を加え、矯正体１１，１３の熱板６７間で毛髪を挟み込む。その後、その状態を維持して挟持アーム７，９を毛先へと滑らせる。これにより、セラミックヒータ６９により熱せられた熱板６７間で挟まれた毛髪が加熱されながら伸ばされる。
【００４７】
このとき毛髪はＳ極又は、Ｎ極を対峙させたマグネットプレート７１間を所定の速度で移動するため、フレミングの右手の法則により還元エネルギが発生する。このエネルギは磁極の電子が右回転するマグネットプレート７１のＳ極から発生し、第一液の還元作用を促進させることになる。しかも、毛髪の表層部を形成するキューティクルを閉じる働きもする。キューティクルが閉じると、紫外線が毛髪の内部に入り込もうとするのを遮断し、毛髪が紫外線により損傷するのを防ぐことができる。
【００４８】
またこの還元のエネルギにより、第一液の水のクラスタが小さくなる。このクラスタが小さくなることで、第一液の毛髪への浸透性が高まる。よって、さらに第一液の還元作用が促進される。その結果、毛髪が損傷する恐れを伴う施術時間を短くすることができ、毛髪の傷みも抑制することができる。
【００４９】
なお、その後頭髪に臭素酸ナトリウム、過酸化水素等の酸化剤の水溶液からなる第二液を塗布し、この結果、メルカプト基を酸化して毛髪に新たなジスルフィド結合を生成させ、この直毛状態を固定化することができる。
【００５０】
このような施術に際して、マグネットプレート７１がＳ極を対峙させて設定されているときは、前記狭持アーム７，９の狭持動作により両矯正体１１，１３が近づくと、マグネットプレート７１が反発し合い、同時に第２ばね７５が反発に応じて撓むことによりマグネップレート７１は互いに平行となる。これにより、矯正体１１，１３も姿勢が修正され、矯正面８７が自動的に平行となる。従って、狭持動作のさらなる進行により矯正体１１，１３の矯正面７８が密接するときには、密接当初から平行状態で接触することができる。
【００５１】
前記両マグネットプレート７１がＳＮ極を対峙させて設定されているときは、マグネットプレート７１が吸引し合い、同時に第２ばね７５が吸引に応じて撓むことによりマグネップレート７１は互いに平行となる。従って、上記同様に矯正体１１，１３の矯正面７８が密接するときには、密接当初から平行状態で接触することができる。
【００５２】
このように、前記狭持動作により両矯正体１１，１３が近づき、或いは接触し始めると前記マグネットプレート７１及び第２ばね７５の協働により両矯正体１１，１３間の相互姿勢が互いに平行状態となるように自動的に修正される。
【００５３】
従って、両矯正体１１，１３により毛髪を狭持するときは両矯正体１１，１３の接触開始から平行状態とし、局部的に接触することによるアイロン掛けの斑を的確に抑制することができる。
【００５４】
前記マグネットプレート７１がＳＮ極を対峙させて設定されているとき、狭持動作により、矯正体１１，１３相互が急激的に密着するが、このとき第２ばね７５により緩衝を行うことができ、施術を的確に行わせることができる。
【００５５】
前記マグネットプレート７１を第１ばね７１により熱板６７側へ付勢することにより矯正体１１，１３に対して安定して支持させることができる。このため、マグネットプレート７１と第１ばね７１との協働による両矯正体１１，１３間の相互姿勢の修正をより確実に行わせることができる。
【００５６】
さらに、前記収容部７７内で前記熱板６７の背面８９と前記マグネットプレート７１との間に、前記背面８９から熱板６７へ熱伝導を行う発熱体としてセラミックヒータ６９を設けたため、前記第１ばね７１の付勢力を利用してセラミックヒータ６９を熱板６７の背面８９へ密着させることができ、セラミックヒータ６９から熱板６７へ効率よく熱伝導させることができる。
【００５７】
なお、本発明は上記実施形態に限定されるものではない。例えば、マグネットプレート７１は、矯正体１１，１３の何れか一方にのみ設け、他方はマグネットプレート７１に吸引される磁性体パネルで構成することもできる。第１ばね７３は省略することも可能である。
【図面の簡単な説明】
【図１】本発明の一実施形態に係るヘアーアイロンの斜視図である。
【図２】一実施形態に係り、分割部分を外した状態の平面図である。
【図３】一実施形態に係り、側面図である。
【図４】一実施形態に係る平面図である。
【図５】一実施形態に係り、挟持アームを開いた状態の底面図である。
【図６】一実施形態に係り、図３のＳＡ−ＳＡ矢視拡大断面図である。
【図７】一実施形態に係り、分割部分を外した状態の先端側の要部拡大平面図である。
【図８】一実施形態に係り、（ａ）は矯正体本体の正面図、（ｂ）は同背面図、（ｃ）は同平面図、（ｄ）は同断面図である。
【図９】一実施形態に係り、（ａ）は第１ばねの平面図、（ｂ）は同背面図である。
【図１０】一実施形態に係り、（ａ）は第２ばねの平面図、（ｂ）は同正面図、（ｃ）は同側面図である。
【図１１】従来例に係り、（ａ）はヘアーアイロンの全体構成図、（ｂ）は内部を示す断面図である。
【符号の説明】
１  ヘアーアイロン
７，９  挟持アーム
１１，１３  矯正体
１５，１７  基端側
２１，２３  把持部
２９，３１  先端側
６７  熱板
６９  セラミックヒータ（発熱体）
７１  マグネットプレート７１（磁石）
７３  第１ばね（磁石付勢手段）
７５  第２ばね（矯正体付勢手段）
７７  収容部
８７  矯正面
８９  背面
【図１】
0003977663.tif 000002
【図２】
0003977663.tif 000003
【図３】
0003977663.tif 000004
【図４】
0003977663.tif 000005
【図５】
0003977663.tif 000006
【図６】
0003977663.tif 000007
【図７】
0003977663.tif 000008
【図８】
0003977663.tif 000009
【図９】
0003977663.tif 000010
【図１０】
0003977663.tif 000011
【図１１】
0003977663.tif 000012